(57)【要約】装置が、外部光源からの光エネルギーのセンサ（５）と、外部光源および前記センサ間に配置され、外部光源の方を向いた第一の面（２）および前記センサ（５）の方を向いた第二の面（６）間に配置される光学的に構造化された透明プレート（１）であり、前記透明プレート（１）は直線で、互いに平行な複数の光学素子によってそれらの二つの面（２、６）のうち少なくとも一つが光学的に構造化されている透明プレート（１）と、透明ストリップ（４）によって分離された複数の画像ストリップ（３）とを備えており、画像ストリップ（３）の縦軸が透明プレート（１）の光学素子の縦軸に対して零ではない角度（α）で傾斜しており、透明プレート（１）を通して見る前記画像（３）はレリーフ作用を有して出現し、一方、センサ（５）のエネルギー生成は、装置に対する前記外部光の入射角度に無関係に、ほぼ一定とする。【選択図】図２ｂ
2017504841.tif 000002
【特許請求の範囲】
【請求項１】
装置は、少なくとも
（ａ）外部光源からの光エネルギーのセンサ（５）、
（ｂ）前記外部光源と前記センサ（５）との間に配置され、前記外部光源の方を向いた「前面」（２）と呼ばれる第一の面および前記センサ（５）の方を向いた「後面」（６）と呼ばれる第二の面を含む、透明プレート（１）であり、前記透明プレート（１）は、直線で互いに平行な複数の光学素子によって、その二つの面（２、６）のうち少なくとも一つに光学的に構造化されている透明プレート（１）、
（ｃ）透明ストリップ（４）によって分離された複数の画像ストリップ（３）、
を備え、
前記装置は、画像ストリップ（３）の縦軸が透明プレート（１）の光学素子の縦軸に対して零ではない角度（α）で傾斜しており、それによって、透明プレート（１）を通して見る前記画像（３）はレリーフ作用を有して出現し、一方、センサ（５）のエネルギー生成は、装置に対する前記外部光の入射角度に無関係に、ほぼ一定であることを特徴とする装置。
【請求項２】
画像ストリップ（３）の全表面は透明ストリップ（４）の全表面とほぼ同一であることを特徴とする請求項１に記載の装置。
【請求項３】
レンズの縦軸と画像ストリップの縦軸との間の傾斜角度（α）は３５°〜７５°の範囲にあり、したがって、前記画像（３）の見かけは装置の観察角度（θ）に応じてほぼ一定であることを特徴とする、請求項１または２に記載の装置。
【請求項４】
前記画像ストリップ（３）は固定または動かされ、不透明、反射または半透明、プリント、またはバックライト、エレクトロルミネッセンスもしくは反射部品によって電子的に生成された、多数の画素によって構成されることを特徴とする、請求項１〜３のいずれか一つに記載の装置。
【請求項５】
前記画像ストリップ（３）は、センサ（５）と透明プレート（１）の後面（６）との間、または、前記センサ（５）の下流に配置され、ここで、下流という語は外部光源から装置の方への光の伝播方向に依拠することを特徴とする、請求項１〜４のいずれか一つに記載の装置。
【請求項６】
前記画像ストリップ（３）は、前記センサ（５）および／または透明プレート（１）の前記後面（６）と接触するか、または、透明プレート（１）の材料とは異なる屈折率の材料によってこれらの表面と分離されることを特徴とする、請求項１〜５のいずれか一つに記載の装置。
【請求項７】
光エネルギーセンサ（５）は、熱、太陽光発電、化学または混合型の、平面または湾曲した、剛性または可撓性の太陽センサであることを特徴とする、請求項１〜６のいずれか一つに記載の装置。
【請求項８】
前記光エネルギーセンサ（５）は、当接の、または、透明ゾーンによって互いに分離された、稠密の、または、半透明の活性ゾーンによって構成されることを特徴とする、請求項１〜７のいずれか一つに記載の装置。
【請求項９】
透明プレート（１）の光学素子は、
（ａ）対称または非対称の、凸型または凹型レンズ、
（ｂ）プリズム
であることを特徴とする、請求項１〜８のいずれか一つに記載の装置。
【請求項１０】
透明プレート（１）、画像ストリップ（３）およびセンサ（５）は互いに平行な平面内に含まれるが、特に可撓性装置の場合、これらの平坦面が湾曲面になるような変形を受けることがあることを特徴とする、請求項１〜９のいずれか一つに記載の装置。
【請求項１１】
透明プレート（１）および画像ストリップ（３）の光学素子が基本構造アレイに組織化されることを特徴とする、請求項１〜１０のいずれか一つに記載の装置。
【請求項１２】
透明プレート（１）および画像ストリップ（３）が、センサ（５）に対して固定されていることを特徴とする、請求項１〜１１のいずれか一つに記載の装置。
【請求項１３】
透明プレート（１）および画像ストリップ（３）は、例えば、並進および／または回転運動を受けて、センサ（５）に対して可動であることを特徴とする、請求項１〜１１のいずれか一つに記載の装置。
【請求項１４】
透明プレート（１）は、ガラスまたは、ＰＭＭＡ、ＰＥＴもしくはポリカーボネート型ポリマーのような固体、液体または気体の透明材料から構成され、平坦または湾曲し、剛性または可撓性で、その全体が着色されているか、または無色であることを特徴とする、請求項１〜１３のいずれか一つに記載の装置。
【請求項１５】
前記透明プレート（１）の二つの面（２、６）のうち少なくとも一つが、例えば、反射防止、汚れ防止または紫外線防止の機能表面によって被覆されていることを特徴とする、請求項１〜１４のいずれか一つに記載の装置。
【請求項１６】
画像ストリップ（３）は一つまたは複数の照明源によって照らされ、その光の主要な部分は導波の役割を果たす透明プレート（１）の厚さ内を、または、透明プレート（１）の上流または下流に配置された付加的な透明プレート内を伝播し、ここで、上流および下流という語は照明源から装置の方への光の伝播方向に依拠することを特徴とする、請求項１〜１５のいずれか一つに記載の装置。
【請求項１７】
光エネルギーセンサ（５）は、前記センサ（５）の表面に電子収集グリッドを備える太陽光電池センサであり、前記画像ストリップの表面の一部は電子収集グリッドの可視面によって構成されていることを特徴とする、請求項１〜１６のいずれか一つに記載の装置。
【請求項１８】
センサ（５）を、光エネルギーセンサと同様に暗い外観の、非機能的支持材に取り換えることを特徴とする、請求項１〜１６のいずれか一つに記載の装置。
【発明の詳細な説明】
【技術分野】
【０００１】
本発明は、光エネルギーセンサの前に配置された画像ゾーンにレリーフ（ｒｅｌｉｅｆ）の外観を与える光学装置に関するものである。
【背景技術】
【０００２】
典型的には暗い外観の太陽センサなどの光エネルギーセンサの目立たない視覚統合は、例えば、ブラインド、サンシェード、パラソル、シェードハウスなどのような、太陽光線を少なくとも部分的に遮る主要な機能を備える物体で特に有用である。しかし、太陽センサの良好な視覚および機能統合は、同様に建物、屋根、壁、タイル、ガラス、船舶及び航空機を含む輸送車両、広告パネル、時計、ポータブル電子ディスプレイ装置、衣類、リュックサックのようなより広い範囲の支持材、および、一般的には平坦な、または、平坦でないあらゆる支持材で有用となり得る。
【０００３】
我々の環境では、太陽センサを、特に、暗いまたは黒色の外観の光電池を視覚統合する要求には、太陽センサの性能の低下を可能な限り最小限にして、カラーでまたは半透明画像でそれらを被覆することを必要とする。詳細には、国際公開第２００７／０８５７２１号（Ｓｕｎｐａｒｔｎｅｒ  Ｔｅｃｈｎｏｌｏｇｉｅｓ社）および国際公開第２０１０／０６７０２９号（Ｓａｉｎｔ−Ｇｏｂａｉｎ  Ｇｌａｓｓ社）で、直線レンズアレイおよびレンズの正面に配置された画像ゾーンアレイによって構成された、レンズによって再構築された画像と装置の後方に配置された太陽センサとを観察者が交互に視覚化することができる光学装置が公知である。そのとき、画像および太陽センサの視覚化は光学面に対する観察角度による。レンズが直線および円筒形であるとき、この交代はおよそ２５°ごとに繰り返される。
【０００４】
このシステムの主な制限の一つは、観察者の装置に対する相対位置によっては、前記観察者が同一画像を連続的に見ないという事実に由来する。その上、観察者と装置との間に画像ゾーン全体が統合して見られるための最小の間隔が必要である。したがって、観察者がセンサまたは一部が欠けた画像しか見ない観察位置が存在し、それは前記センサの完全な統合を損なう。結局、外部光は所定の入射角度でしか太陽センサに到達せず、それによって、太陽の軌道に対して装置を適切に位置決定することが必要となる。前記の現象は、観察および生成角度ゾーンが制限された固定システムに、公知のシステムを応用することを制限する。
【０００５】
この装置の他の制限は、その製造方法に由来するものであり、その製造方法は、特にレンズの縦軸に対する画像ストリップ（ｂａｎｄｅｓ  ｉｍａｇｅ）の整列のため、画像ゾーンと直線レンズアレイとの間に極めて精密な固定を必要とする。この固定は、レンズアレイの解像度、すなわち、長さ単位毎のレンズ数が小さいほど得ることが困難である。実際、この配列を実現するためには、手動しか方法がなく、このことは、そのような装置の商品化への実際のブレーキとなる。
【発明の概要】
【発明が解決しようとする課題】
【０００６】
したがって、前記に記載した問題の同時解決によって、光源に対する装置の方向とは関係なく、これらの太陽センサの全表面に対するセンサの見かけの活性表面の比率をほぼ一定に維持して、すなわち、言い換えれば、装置の所定の方向で、センサの電気生成が同様に一定になるであろうことにより、光エネルギーセンサの統合をそれらの観察角度範囲とは無関係に改善し、そのような装置の製造を容易にすることができる。
【０００７】
本発明は、光学装置の新規な構造を提案して、これらの問題を解決し、背景技術に記載した欠点を解消することを目的とする。この新規な統合方法は、センサを全体的に隠そうとするよりむしろ、その表面の一部を見えるようにして、その表面の一部を部分的に画像で被覆し、前記システムに三次元性および／またはレリーフの錯覚を与えて、それによって、センサが観察者にとって魅力的または遊びになることからなる。
【課題を解決するための手段】
【０００８】
本発明の目的は、特許請求の範囲に記載した装置からなる。
【０００９】
本発明による装置は、少なくとも
（ａ）外部光源からの光エネルギーのセンサ、
（ｂ）前記外部光源と前記センサとの間に配置され、前記外部光源の方を向いた「前面」と呼ばれる第一の面および前記センサの方を向いた「後面」と呼ばれる第二の面を含む、光学的に構造化された透明プレートであり、前記透明プレートは、直線で互いに平行な複数の光学素子によって、その二つの面のうち少なくとも一つに光学的に構造化されているプレート、
（ｃ）透明ストリップによって分離された複数の画像ストリップ、
を備え、
前記装置は、画像ストリップの縦軸が透明プレートの光学素子の縦軸に対して零ではない角度で傾斜しており、それによって、透明プレートを通して見る前記画像はレリーフの外観を有して出現し、一方、センサのエネルギー生成は、装置に対する前記外部光の入射角度に無関係に、ほぼ一定であることを特徴とする。
【００１０】
装置の様々な実施態様によると、画像ストリップの全表面は透明ストリップの全表面とほぼ同一である。
【００１１】
特定の実施態様によると、レンズの縦軸と画像ストリップの縦軸との間の傾斜角度は３５°〜７０°の範囲にあり、したがって、前記画像の見かけは装置の観察角度に応じてほぼ一定である。
【００１２】
前記画像ストリップは固定または動かされ、不透明、反射または半透明、プリント、またはバックライト、エレクトロルミネッセンスもしくは反射部品によって電子的に生成された、多数の画素によって構成される。したがって、画像ストリップ間の透明ゾーンのサイズまたはそれを構成する画素の透明性によって、センサの表面に到達することができる光エネルギー量を調節することができる。
【００１３】
前記画像ストリップは、センサと透明プレートの後面との間、または、前記センサの下流に配置されることがあり、ここで、「下流」という語は外部光源から装置の方への光の伝播方向に依拠する。
【００１４】
前記画像ストリップは、また、前記センサおよび／または透明プレートの前記後面と接触するか、または、透明プレートの材料とは異なる屈折率の材料によってこれらの表面と分離されることがある。このように、画像ストリップを透明プレートの後面上に直接、または、透明プレートの前記後面に対向して次に配置される透明支持材上に配置することができる。この後者の場合、前
記透明支持材は透明プレートの前記後面および／または前記センサから、空気によって、または、透明プレートの屈折率と近い屈折率の光学的接着剤によって分離される。第一の解決法は、透明プレートまたはセンサを変更せずに装置の画像を取り換える可能性があり、一方、第二の解決法は寄生反射（ｒｅｆｌｅｘｉｏｎｓ  ｐａｒａｓｉｔｅｓ）およびインターフェースでの光エネルギーの損失を防止する。
【００１５】
本発明は、光エネルギーセンサが、熱、太陽光発電、化学または混合型の、平面または湾曲した、剛性または可撓性の太陽センサである場合に主な用途を見出す。
【００１６】
実施態様の補足的変形形態によると、前記光エネルギーセンサは、当接の、または、透明ゾーンによって互いに分離された、稠密の、または、半透明の活性ゾーンによって構成される。
【００１７】
記載した実施態様によると、透明プレートの光学素子は、
（ａ）対称または非対称の、凸型または凹型レンズ、
（ｂ）プリズム
である。その結果として、透明プレートの光学的構造化はそれらの面の一つだけ、または、同一または異なることがある幾何学的形状を備える二つの面で実施できる。
【００１８】
装置の様々な実施態様によると、透明プレート、画像ストリップおよびセンサは有利には互いに平行な平面内に含まれるが、特に可撓性装置の場合、これらの平坦面が湾曲面になるような変形を受けることがある。
【００１９】
特定の一実施態様によると、透明プレートおよび画像ストリップの光学素子は基本構造アレイに組織化される。「基本」という語は、もう一度繰り返すと、アレイを構成する前記アレイの最も小さなモチーフを意味し、隣接する二つの基本モチーフ間の二つの同一点間の規則的な間隔がアレイのピッチを決定する。このようにして、光エネルギーセンサの均質な表面を規則的なモチーフで構成された表面に変換することができる。これらのモチーフの色および形状は、センサの色、透明プレートの光学素子アレイの形状および、さらに、画像ストリップアレイの色および形状に同時に依存する。
【００２０】
記載した実施態様によると、透明プレートおよび画像ストリップは、センサに対して固定されているか、または、例えば、並進および／または回転運動を受けて、センサに対して可動である。
【００２１】
透明プレートは、無機ガラス、有機ガラス、またはさらにＰＭＭＡ、ＰＥＴ、またはポリカーボネート型ポリマーのような固体、液体または気体の透明材料から構成され、平坦または湾曲し、剛性または可撓性で、その全体が着色されているか、または無色であり得る。
【００２２】
図示していない特定の一実施態様によると、前記透明プレートの二つの面のうち少なくとも一つは、光の単純な伝播の他の補足的な機能、例えば、反射防止、汚れ防止または紫外線防止作用を備える機能表面によって被覆されている。
【００２３】
図示していない装置の実施態様の補足的変形形態によると、画像ストリップは一つまたは複数の照明源によって照らされ、その光の主要な部分は導波の役割を果たす透明プレートの厚さ内を、または、透明プレートの上流または下流に配置される付加的な透明プレート内を伝播し、ここで、「上流」および「下流」という語は照明源から装置の方への光の伝播方向に依拠する。
【００２４】
本発明による装置の別の好ましい一変形形態によると、光エネルギーセンサは、前記センサの表面に電子収集グリッドを備える太陽光電池センサであり、前記画像ストリップの表面の一部は電子収集グリッドの可視面によって構成されている。このように、画像ゾーンはその製造時にセンサに直接内蔵され、それは前記画像ゾーンのプリントの補足段階を回避するので、装置の作製が単純化される。
【００２５】
本発明の別の変形形態によると、光エネルギーセンサを、光エネルギーセンサと同様に暗い外観の、なんらかの機能をもたない支持材に取り換える。この場合、もちろん、光エネルギーセンサの場合と同様な、前記支持材の視覚統合作用を得ることができるが、しかし、その装置はエネルギーを生成しない。
【００２６】
本発明は、添付図面を参照して行う下記の詳細な説明からより良く理解されるであろう。
【図面の簡単な説明】
【００２７】
【図１ａ】従来技術による装置の構造を概略的に図示している。
【図１ｂ】従来技術による装置の構造を概略的に図示している。
【図２ａ】本発明による装置の構造を概略的に図示している。
【図２ｂ】本発明による装置の構造を概略的に図示している。
【図２ｃ】本発明による装置の構造を概略的に図示している。
【図３ａ】様々な観察角度および、透明プレートおよび画像ストリップの各々の方向に応じた本発明による装置の外観の上方から見た図である。
【図３ｂ】様々な観察角度および、透明プレートおよび画像ストリップの各々の方向に応じた本発明による装置の外観の上方から見た図である。
【図３ｃ】様々な観察角度および、透明プレートおよび画像ストリップの各々の方向に応じた本発明による装置の外観の上方から見た図である。
【図４】本発明による装置の実施態様の別の変形形態の構造を概略的に図示したものである。
【図５ａ】従来技術で公知の装置および本発明の目的である装置の光入射角度に応じた電気生成を比較するものである。
【図５ｂ】従来技術で公知の装置および本発明の目的である装置の光入射角度に応じた電気生成を比較するものである。
【００２８】
図面は縮尺通りではなく、装置の部品の相対的な厚さは、その構造をより分かりやすくするために任意で誇張されている。図面上に使用されるマークのリストを示す。
【００２９】
【表１】
2017504841.tif 000003
【発明を実施するための形態】
【００３０】
国際公開第２００７／０８５７２１号によって公知の装置の立体図（図１ａ）および横断面図（図１ｂ）に対応する図１を参照する。この装置１４は、光学的に構造化され、観察者８と光エネルギーセンサ５との間に配置された透明プレート１を備える。前記透明プレート１の前面２は平坦‐凸面型の円筒形直線レンズアレイから構成される。平坦な後面６は画像ストリップ３および透明ストリップ４のアレイを内蔵する。図１ａに図示したように、前記ストリップ３、４の縦軸はレンズの縦軸に平行であり、レンズアレイのピッチは画像ストリップアレイのピッチと同じである。
【００３１】
図１ｂは装置の横断面図であり、すなわち、図１ａの二重矢印によって具現化された直線を含み、透明プレート１のレンズの縦軸に直交している平面による断面である。レンズの法線に関して観察角度θ1で装置に向かって位置する第一の観察者８’は画像ストリップ３から出た光束７’を見る。したがって、この位置では、観察者は、見かけ上は、画像ストリップ３の全体によって再構築された画像１０の全部を見る。第一の観察者８’に対して対称に、装置の観察角度が−θ1である第二の観察者８”は、センサ５の表面で反射され、画像の透明ゾーン４を通過する光束７”を代わりに見る。したがって、この角度では、第二の観察者８”は、一般的に暗い色であるセンサ５の見かけ表面１１しか見ない。
【００３２】
したがって、図１による公知の装置には、欠点として、図５ｂに図示して下記に説明するような、センサ５を被覆する画像ゾーン３の視界の範囲の不連続性、ならびに、照度の範囲の、またしたがって前記センサ５のエネルギー生成の範囲の類似的な不連続性がある。
【００３３】
図２は、本発明による装置の立体図（図２ａ）および二つの横断面図（図２ｂおよび２ｃ）である。装置は、外部光源からの光エネルギーのセンサ５、複数の画像ストリップ３および透明ストリップ４、ならびに、光学的に構造化された透明プレート１から構成される。前記透明プレート１の前面２は平坦‐凸面型の円筒形直線レンズアレイから構成され、有利には、透明プレート１の後面６の平面内に位置するそれらの焦点面を備える。平坦な後面６は透明ストリップ４によって分離された幅ｌの画像ストリップ３のアレイを内蔵する。本発明によると、画像ストリップ３の縦軸は、図２ａに図示するように、レンズの縦軸に対して零ではない角度αで傾斜している。レンズおよび画像ストリップ３のアレイは、隣接する二つのレンズ間または隣接する二つの画像ストリップ間の間隔を具現化する各々のそれらのピッチｐおよびｄによって決定される。
【００３４】
図２ｂは、図２ａの二重矢印によって具現化された直線を含み、透明プレート１のレンズの縦軸に直交している平面による装置の横断面図である。レンズの法線に関して同じ観察角度θ2によって、観察者８はセンサ５および画像ストリップ３によって各々反射された光束７’および７”を同時に見る。したがって、本発明による装置は、観察者８がその観察角度に関係なく、センサ５および画像ゾーン３を同時に見ることを可能にし、それによって、図１に対応する従来技術で公知の装置の見かけの不連続性を除去する。
【００３５】
さらに、図２ｃに示すように、その位置に関係なく、観察者８はその右目１３’で、その左目１３”で認識したものとは異なる画像を見る。それによって、観察者８の脳で、三次元画像を再構築することができる。例えば、右目１３’はセンサ５の見かけゾーン１１および画像ゾーン１０’を同時に認識するが、一方、左目は画像ゾーン１０”しか見ない。センサ５を被覆する画像にレリーフの外観を与えるのは、この現象である。
【００３６】
図３は、図２で概略化された本発明による装置１５の三つの特定の実施態様の平面図であり、それらの実施態様では、二つの隣接する画像ストリップ３間のピッチｄは二つの隣接する直線レンズ間のピッチｐに等しく、画像ストリップ３の幅ｌはピッチｐの半分に等しい。三つの図面の表示は、異なる観察角度に対応する。
【００３７】
図３ａ、３ｂおよび３ｃに図示したように、上方から見た装置の見かけは観察角度θ並びに、透明プレート１および画像ストリップ３の各々の方向に応じて変化し、この方向は傾斜角度αによって決定される。光学的に構造化された透明プレート１を介して画像ストリップ３を見る観察者の視覚の印象を見かけの画像ゾーン１０と呼ぶ。透明ゾーン４によって観察者が見る補足ゾーンはセンサの見かけゾーン１１と呼ばれる。
【００３８】
観察角度θが０°で、傾斜角度αが６０°（図３ａ）では、立方体メッシュを備える見かけのアレイ１２ａの形状として、見かけの画像ゾーン１０およびセンサの見かけゾーン１１ａのインターレースの錯覚が得られる。前記見かけのアレイ１２ａの形状を表すパラメータは、前記に定義したパラメータｐ、ｄ、ｌおよびαに直接的に相関関係がある。
【００３９】
観察角度θを同じく０°に維持し、傾斜角度αを１０°であるように変更すると、見かけのアレイの形状は変化する。それによって生じるアレイ１２ｂを図３ｂに図示した。この構成では、見かけの画像ストリップ１０ｂおよびセンサの見かけのストリップ１１ｂの錯覚が得られる。これらの見かけの画像ストリップ１０ｂは組み合わされた複数の画像ストリップ３から形成されたものであり、したがって、前記見かけの画像ストリップ１０ｂの幅は画像ストリップ３の幅ｌの倍数である。非限定的な実施例として、本発明による装置は、ｐ＝１．６ｍｍ、ｄ＝１．６ｍｍおよびｌ＝０．８ｍｍで作製された。図３ｂの実施態様では、見かけのストリップ１０ｂの幅は５ｍｍで、ストリップアレイのピッチは９ｍｍである。
【００４０】
傾斜角度αを同じく１０°に維持するが、今度は観察角度θを４０°であるように変更すると（図３ｃ）、見かけのアレイ１２ｃの形状はアレイ１２ｂと同一であるが、空間内でずれる。実際、３０°の角度θで観察した見かけの画像ストリップ１０ｂの位置の全体（図３ｂ）は、４０°の角度θでのセンサの見かけのストリップ１１ｃの位置（図３ｃ）に対応する。この見かけのずれは、観察範囲４０°で周期的である。
【００４１】
これらの三つの実施態様は、画像ゾーンおよびセンサの見かけゾーンのアレイの種類、および、観察者による装置の観察角度に働きかけると、観察者は見かけの画像ゾーン１０およびセンサの見かけゾーン１１の可変性の錯覚を得ることができるが、一方、同時に前記ゾーン１０、１１の表面の比率は一定のままである。この可変性は、移動中の観察者の座標系において前記見かけの画像ゾーン１０および前記センサの見かけゾーン１１の形状、光度および絶対位置に関する。有利には、移動中の観察者の座標系において観察される画像が可変性をほとんど持たないような構成にされるであろう。透明ストリップ４の全表面に等しい画像ストリップ３の全表面では、傾斜角度αが３５°〜７０°の範囲にあるとき可変性はほとんど観察されない。太陽センサを、見かけは同じだがエネルギー生成機能のない装置に取り換えると、見かけの画像ゾーン１０の見かけの可変性（および、したがって、同一の視覚統合）は同一に保持されるが、装置によるエネルギー生成はない。
【００４２】
したがって、本発明による装置によって、支持材上の光エネルギーセンサ５の視覚統合を、それらの観察角度範囲とは無関係に改善することができ、それは光源に対する装置の方向にも無関係である。そのうえ、傾斜角度αが数度変化したとき装置の外観はほとんど変化しないので、そのような装置の作製方法は、画像ゾーン３と透明プレート１との間に極めて正確な固定を必要としない。
【００４３】
図４に図示した実施態様の補足的な変形形態によると、装置は、光学的に構造化された透明プレート１と光エネルギーのセンサ５との間に配置された透明支持材９にプリントされた画像ストリップ３のアレイから構成される。図２ａに概略的に示した実施態様との差異は、前記透明プレート１の前面２は平坦であるが、後面６は円筒形の直線レンズアレイから構成されていることである。画像ストリップ３の縦軸はレンズの縦軸に対して零ではない角度αで傾斜している。
【００４４】
そのような装置には、複数の利点がある。前面２の平坦性によってレンズの汚れを防止し、装置の外側表面の洗浄が容易であり、装置の厚さおよびコストを増大させることになる補足プレートを加える必要がない。同時にこの表面は、ユーザにとって滑らかな様相の手触りを提供し、これは多数の用途、例えば、携帯電話のシェルなどで好ましい。この様相は、前面２のミクロ構造化によって、手触りの種類の幅を拡大するように調節することができる。結局、装置の連接する要素に接着されていない支持材９への画像ストリップ３のプリントは、プレート１ではなく、支持材９だけを取り換えることによって、最小のコストで、画像ストリップ３の外観、例えば、それらの形状またはそれらの色を変更することができる。
【００４５】
図５ａは、平面（ＯＸＺ）内に軌道が載せられた光源１６によって照射された太陽光電池センサ５を備える、図１ａおよび２ａに各々定義された二つの装置１４および１５を概略的に図示している。
【００４６】
図５ｂは、従来技術で公知の装置１４（実線）および本発明の目的である装置１５（点線）について、光の入射角度βに応じた、太陽光電池センサ５の二つの電気生成曲線を同一のグラフに示している。入射角度βに応じた電気生成の変動は興味深いが、それは生成値がノルムで定義されているからである。そのとき、電気生成は、装置１４のピークでのピーク平均値に対して８０％近傍まで変動し、およそ３０°毎に最大および最小の生成が交代することが観察される。最小生成は、画像ストリップ３全体の光源１６による照度に対応し、その構成では太陽光電池センサ５は微量の光しか受けず、したがって、ほとんど生成しない。最大生成は、透明ストリップ４を通過する太陽光電池センサ５の多数のゾーンの照度に対応し、したがって、前記センサ５は強い光度を受ける。比較すると、装置１５は変動の小さいエネルギー生成を示し、その変動は最大生成と最小生成との間の平均値に対して１２％を越えない。したがって、本発明の目的である装置１５では、電気生成は、外部光１６の入射角度βに応じてほぼ一定である。
【００４７】
前記の説明から、本発明は一定の目的を達したことが結論とされる。本発明は、今日までの公知の装置の欠点を示さずに、光エネルギーセンサの表面に位置する画像にレリーフの錯覚を与えるための光学的特性を備える装置について記載している。
【００４８】
本発明の目的である装置は、装置の観察角度の範囲とは関係なく、特に、光エネルギーセンサまたは同一の外観の他の要素の視覚統合を改良し、そのような装置の製造方法を容易にすることができるであろう。
【００４９】
光エネルギーセンサの使用の場合、装置での前記外部光の入射角度に関係なく、前記センサのエネルギー生成をほぼ一定に維持して、この美的な利点が得られる。
【産業上の利用可能性】
【００５０】
本発明は、特にノートパソコンおよび広告パネルのようなディスプレイ装置のスクリーンの背面、携帯電話のシェル、時計、おもちゃ、コンピュータのキーボード、ブラインド、日除け、サンシェード、パラソル、シェードハウス、屋根、壁、タイル、船舶および航空機を含む輸送車両、衣類、リュックサックおよびより一般的には電子画像を含むあらゆる画像支持材、及び平坦または湾曲したあらゆる表面における太陽センサの視覚統合に適している。
【符号の説明】
【００５１】
１  透明プレート
２  透明プレートの前面
３  画像ストリップ
４  透明ストリップ
５  光エネルギーセンサ
６  透明プレートの後面
７  光束
８  観察者
９  透明支持材
１０  見かけの画像ゾーン
１１  センサの見かけのゾーン
１２  見かけのアレイ
１３  観察者の目
１４  従来技術による装置
１５  本発明による装置
１６  外部光源
【先行技術文献】
【特許文献】
【００５２】
【特許文献１】国際公開第２００７／０８５７２１号
【図１ａ】
2017504841.tif 000004
【図１ｂ】
2017504841.tif 000005
【図２ａ】
2017504841.tif 000006
【図２ｂ】
2017504841.tif 000007
【図２ｃ】
2017504841.tif 000008
【図３ａ】
2017504841.tif 000009
【図３ｂ】
2017504841.tif 000010
【図３ｃ】
2017504841.tif 000011
【図４】
2017504841.tif 000012
【図５ａ】
2017504841.tif 000013
【図５ｂ】
2017504841.tif 000014
【国際調査報告】
2017504841.tif 000015
2017504841.tif 000016
2017504841.tif 000017
2017504841.tif 000018